(57)【要約】【課題】軒先の支持剛性を確保しつつ外観品質を向上することができる軒先部構造を提供することを目的とする。【解決手段】屋根部材が載置される横材を支持する大梁と、該大梁の先端側に設けられた内樋と、前記大梁の先端部に連結され、前記内樋の下側を通って軒先側へ張り出す張出部材と、該張出部材の先端部に、軒先へ向かうに従って高さが低くなるウエブ部が連結されるとともに、前記ウエブ部の上縁に設けられたフランジ部に屋根部材を支持する受け部材が接合されたＴ型鋼と、を備えている。【選択図】図１
2019116731.tif 000002
【特許請求の範囲】
【請求項１】
屋根部材が載置される横材を支持する大梁と、
該大梁の先端側に設けられた内樋と、
前記大梁の先端部に連結され、前記内樋の下側を通って軒先側へ張り出す張出部材と、
該張出部材の先端部に、軒先へ向かうに従って高さが低くなるウエブ部が連結されるとともに、前記ウエブ部の上縁に設けられたフランジ部に屋根部材を支持する受け部材が接合されたＴ型鋼と、
を備えた軒先部構造。
【請求項２】
前記張出部材は、前記大梁にボルトで連結されるとともに前記Ｔ型鋼の前記ウエブ部にボルトで連結されている請求項１に記載の軒先部構造。
【請求項３】
前記張出部材は、溝形鋼と、該溝形鋼に接合されたリブとを備え、
隣り合う溝形鋼のリブに横材がボルトで連結されている請求項１又は請求項２に記載の軒先部構造。
【発明の詳細な説明】
【技術分野】
【０００１】
本発明は、建物の軒先部構造に関する。
【背景技術】
【０００２】
軒先より後退した位置に雨樋を配置して軒先の美観を高める軒先構造が知られている。
【０００３】
この軒先構造では、軒桁（梁）の鉛直面から支持部材が張り出しており、支持部材上に内樋が配置されている。また、支持部材の先端部には、第２取付部が設けられており、第２取付部のさらに先端には、第２横桟が設けられている。そして、第２取付部及び第２横桟には、野地板を介して屋根葺き材が支持されている。
【０００４】
支持部材は、上下の厚み寸法が全長に渡って一定とされているので、軒先を薄肉にするには、支持部材の先端を軒先より後退させ、支持部材の先端に別部材を設ける必要がある。しかし、支持部材を後退させると軒先の支持剛性が落ちる。
【先行技術文献】
【特許文献】
【０００５】
【特許文献１】特開２００７−０６１７８１号公報
【発明の概要】
【発明が解決しようとする課題】
【０００６】
本発明は係る事実を考慮し、軒先の支持剛性を確保しつつ外観品質を向上することができる軒先部構造を提供することを目的とする。
【課題を解決するための手段】
【０００７】
第一の態様の軒先構造は、屋根部材が載置される横材を支持する大梁と、該大梁の先端側に設けられた内樋と、前記大梁の先端部に連結され、前記内樋の下側を通って軒先側へ張り出す張出部材と、該張出部材の先端部に、軒先へ向かうに従って高さが低くなるウエブ部が連結されるとともに、前記ウエブ部の上縁に設けられたフランジ部に屋根部材を支持する受け部材が接合されたＴ型鋼と、を備えている。
【０００８】
すなわち、屋根部材を支持する大梁の先端側には、内樋が設けられており、大梁からは、内樋の下側を通って軒先側へ張り出す張出部材が連結されている。この張出部材の先端部には、Ｔ型鋼のウエブ部が連結されており、ウエブ部の上縁に設けられたフランジ部には、屋根部材を支持する受け部材が接合されている。
【０００９】
これにより、軒先から後退した位置に内樋を配置することができ、軒先部の美観を高めることができる。
【００１０】
この構造において、軒先側の屋根部材を支持するＴ型鋼のウエブ部は、その高さが軒先へ向かうに従って低くなるように構成されている。このため、上下の厚み寸法が全長に渡って一定とされた支持部材を用いる場合と比較して、軒先を薄くすることができる。
【００１１】
また、軒先へ向かうに従って高さが低くなるＴ型鋼によって軒先側の屋根部材を支持することができるので、軒先側の屋根部材の支持剛性を高めることができる。
【００１２】
第二態様の軒先構造は、前記張出部材は、前記大梁にボルトで連結されるとともに前記Ｔ型鋼の前記ウエブ部にボルトで連結されている。
【００１３】
すなわち、張出部材は、大梁にボルトで連結されている。このため、大梁から軒先までの張り出し量に応じて、対応する長さの張出部材に変更することができる。
【００１４】
これにより、大梁からの張出部材の張り出し量を軒先の形状に合わせて調整することができるので、軒先のデザインの自由度を高めることができる。
【００１５】
また、張出部材は、Ｔ型鋼のウエブ部にボルトで連結されている。このため、張出部材の長さを変更しても、張出部材より先端側を同じ構造とすることができる。これにより、軒先を構成する先端部構造を有効活用することができる。
【００１６】
第三態様の軒先構造は、前記張出部材は、溝形鋼と、該溝形鋼に接合されたリブとを備え、隣り合う溝形鋼のリブに横材がボルトで連結されている。
【００１７】
すなわち、隣り合う溝形鋼のリブは、横材を介して、隣り合う溝形鋼に連結される。
【００１８】
これにより、軒先部分の剛性が高まるので、屋根の重みによる溝形鋼の変形が抑制される。
【発明の効果】
【００１９】
本発明は上記構成としたので、軒先の支持剛性を確保しつつ外観品質を向上することができる。
【図面の簡単な説明】
【００２０】
【図１】本実施形態に係る軒先部構造を示す要部の断面図である。
【図２】本実施形態のＴ型鋼を示す斜視図である。
【図３】本実施形態の張出部を正面から見た状態を示す説明図である。
【図４】本実施形態に係る軒先部構造の要部を示す斜視図である。
【発明を実施するための形態】
【００２１】
以下、本発明の一実施形態に係る軒先部構造を図面に従って説明する。
【００２２】
図１は、建物の軒先部分の要部を示した断面図であり、本実施形態に係る軒先部構造は、切妻屋根を備えた建物に採用されている。
【００２３】
建物の柱には、軒先１２に向けて大梁１０が架渡されており、大梁１０は、軒先１２へ向かうに従って下方（矢印Ｄ）へ傾斜している。
【００２４】
隣接する大梁１０の先端部は、小梁１４が架け渡されている。また、隣接する大梁１０の上面側のフランジ部１０Ａには、第一アングル材１６が固定されている。第一アングル材１６には、第二アングル材１８が接合されており、第二アングル材１８の上面には、横材２０が支持されている。横材２０は、矩形状のパイプで構成されており、横材２０の上面には、屋根部材２２が支持されている。
【００２５】
横材２０の軒先１２側の側面及び屋内側の側面には、アングル材２４が固定されており、横材２０の側面からは、アングル材２４の支持片２４Ａが延出している。
【００２６】
大梁１０の先端部には、略水平に延在する先端下縁部１０Ｂが形成されており、大梁１０のウエブ部１０Ｃには、先端下縁部１０Ｂに沿って張出部材２６が三本のボルト２８で固定されている。この張出部材２６は、張出部材２６は、図３に示すように、大梁１０のウエブ部１０Ｃの両面に設けられている。
【００２７】
大梁１０のウエブ部１０Ｃには、図１に示したように、張出部材２６がボルト２８で固定されている。このため、溶接する場合と比べて、大梁１０から軒先１２までの長さに応じて、対応する長さの張出部材２６に変更することができる。
【００２８】
張出部材２６は、溝型鋼２６Ａで構成されており（図３参照）、溝形鋼２６Ａには、リブ２６Ｂが接合されている。隣り合う張出部材２６は、溝形鋼２６Ａのリブ２６Ｂにボルト３０Ａで固定された横材３０で連結されている。
【００２９】
張出部材２６の先端部には、Ｔ型鋼３４がボルト３６で固定されている。Ｔ型鋼３４は、図２に示すように、板状のウエブ部３４Ａと、ウエブ部３４Ａの上端に溶着された板状のフランジ部３４Ｂとで構成されており、Ｔ型鋼３４は、図３に示すように、一対の張出部材２６に挟持された状態で、二本のボルト３６で固定されている（図１参照）。
【００３０】
ここで、Ｔ型鋼３４において、ウエブ部３４Ａとフランジ部３４Ｂとの取付角度を変更することで、軒先形状に合わせて屋根部材２２の傾角を変更できる。
【００３１】
Ｔ型鋼３４のウエブ部３４Ａは、台形板状に形成されており、張出部材２６側から軒先１２側へ向かうに従って高さ寸法が低くなるように構成されている。フランジ部３４Ｂは、図２に示したように、長方形板状に形成されており、先端部及び基端部がウエブ部３４Ａより延出する長さを有している。
【００３２】
Ｔ型鋼３４のフランジ部３４Ｂには、図４にも示すように、アングル材４２が四ヶ所に架設されている。
【００３３】
なお、本実施形態では、アングル材４２を四ヶ所に架設した場合について説明するが、これに限定されるものではなく、Ｔ型鋼３４のサイズによってアングル材４２の数を適宜変更するものとする。
【００３４】
軒先１２側に設けられたアングル材４２には、図１に示したように、矩形パイプ状の受け部材４４が固定されており、この受け部材４４の側面には、軒先１２へ向かうに従って肉厚が薄くなる先端鋼板４６が固定されている。
【００３５】
フランジ部３４Ｂの中央部に配置された一対のアングル材４２の間には、受け部材４４が固定されており、屋内側に設けられたアングル材４２にも、受け部材４４が固定されている。これらの受け部材４４には、屋根部材２２が支持されている。これにより、張出部材２６に立設された支柱に受け部材を設け、この受け部材で屋根部材を支持する構成と比較して、軒先部分の薄肉化に貢献することができる。
【００３６】
そして、このＴ型鋼３４に支持された屋根部材２２と、大梁１０に支持された屋根部材２２との間には、間隙４８が形成されている。
【００３７】
Ｔ型鋼３４の屋内側のアングル材４２に固定された受け部材４４の側面には、アングル材５０が固定されている。このアングル材５０と、大梁１０の横材２０に設けられたアングル材２４との間には、内樋５２が設けられている。
【００３８】
この内樋５２は、大梁１０側の屋根部材２２とＴ型鋼３４側の屋根部材２２とを結ぶ仮想線Ｋより下側に配置されており、大梁１０に固定された張出部材２６は、内樋５２の下側を通って軒先１２側へ張り出すように構成されている。
【００３９】
内樋５２は、底面５２Ａと、底面５２Ａの軒先１２側の縁から起立した外面５２Ｂと、底面５２Ａの屋内側の縁から起立した内面５２Ｃとを備えた断面コ字状に形成されている。内樋５２は、大梁１０の先端側に配置され、大梁１０側の屋根部材２２からの雨水を集めて図示しない排水路から排水する。
【００４０】
内樋５２の外面５２Ｂの上縁から軒先１２側へ延出した外フランジ５２Ｄは、Ｔ型鋼３４側に設けられたアングル材５０の支持片５０Ａに固定されている。内樋５２の内面５２Ｃの上縁から屋内側へ延出した内フランジ５２Ｅは、大梁１０側に設けられたアングル材２４の支持片２４Ａに固定されている。
【００４１】
そして、先端鋼板４６、Ｔ型鋼３４、張出部材２６、及び大梁１０の下部には、図示しない固定部材で軒天材５４が取り付けられており、屋根部材２２から軒天材５４までの厚み寸法は、屋内側から軒先１２へ向かうに従って薄くなるように構成されている。
【００４２】
（作用・効果）
以上の構成に係る本実施形態の作用を説明する。
【００４３】
屋根部材２２を支持する大梁１０の先端側には、内樋５２が設けられており、大梁１０からは、内樋５２の下側を通って軒先１２側へ張り出す張出部材２６がボルト２８で連結されている。この張出部材２６の先端部には、Ｔ型鋼３４のウエブ部３４Ａがボルト３６で連結されており、ウエブ部３４Ａの上縁に設けられたフランジ部３４Ｂには、屋根部材２２を支持する受け部材４４が接合されている。
【００４４】
これにより、軒先１２から後退した位置に、雨水を受ける内樋５２を配置することができるので、軒先部の美観を高めることができる。
【００４５】
そして、軒先１２側の屋根部材２２を支持するＴ型鋼３４のウエブ部３４Ａは、軒先１２へ向かうに従って高さ寸法が低くなるように構成されている。このため、上下の厚み寸法が全長に渡って一定とされた支持部材で屋根部材を支持する場合と比較して、軒先１２を薄肉にすることができる。
【００４６】
また、軒先１２へ向かうに従って高さが低くなるＴ型鋼３４によって軒先１２側の屋根部材２２を支持することができる。このため、軒桁から張り出した支持部材の先端に、複数の部材を順次継ぎ足し、継ぎ足した各部材で軒先側の屋根部材を支持する従来と比較して、軒先１２側の屋根部材２２の支持剛性を高めることができる。
【００４７】
したがって、軒先１２の支持剛性を確保しつつ外観品質を向上することができる。
【００４８】
また、張出部材２６は、大梁１０にボルト２８で連結される。このため、大梁１０から軒先１２までの張り出し量に応じて、対応する長さの張出部材２６に変更することができる。
【００４９】
これにより、大梁１０からの張出部材２６の張り出し量を軒先１２の形状に合わせて調整することができるため、軒先１２のデザインの自由度を高めることができる。
【００５０】
また、張出部材２６は、Ｔ型鋼３４のウエブ部３４Ａにボルト３６で連結されている。このため、張出部材２６を変更しても、張出部材２６より先端側を同じ構造とすることができる。これにより、軒先１２を構成する先端部構造を有効活用することができる。
【００５１】
そして、張出部材２６は、溝形鋼２６Ａと、溝形鋼２６Ａに接合されたリブ２６Ｂを備え、隣り合う溝形鋼２６Ａのリブ２６Ｂに横材３０がボルト３０Ａで連結されている。
【００５２】
これにより、軒先部分の剛性が高まるので、屋根の重みによる張出部材２６の変形を抑制することができる。
【符号の説明】
【００５３】
１０   大梁
１２   軒先
２２   屋根部材
２６   張出部材
２８   ボルト
３２   張出量調整構造
３４   Ｔ型鋼
３４Ａ ウエブ部
３４Ｂ フランジ部
３６   ボルト
４０   傾斜角調整構造
５２   内樋
【図１】
2019116731.tif 000003
【図２】
2019116731.tif 000004
【図３】
2019116731.tif 000005
【図４】
2019116731.tif 000006